(57)【要約】【課題】覆い被さる瞼を下から支えることができ、密着性に優れ、装着感が良好で使用中に違和感を覚えることがない瞼貼付用テープを提供すること。【解決手段】瞼貼付用テープは、追従性と支持性とを兼ね備えており、少なくとも、追従層を備え持つ追従体と、支持層を備え持つ支持体とを有する。追従層は支持層よりも柔軟な材料により構成されている。【選択図】図１
2019103665.tif 000002
【特許請求の範囲】
【請求項１】
瞼に貼付して使用する瞼貼付用テープであって、
前記瞼貼付用テープは、
第１の基材と、第２の基材と、第３の基材と、を少なくとも有し、
前記第１の基材は、細長帯状であり、
前記第２の基材及び前記第３の基材は、前記第１の基材の長手方向における一方の端部及び他方の端部を除く位置であり、且つ、前記第１の基材の長手方向において前記第２の基材と前記第３の基材が隔離する位置にて、直接又は他の層を介して前記第１の基材上に設けられており、
前記第１の基材は、前記第２の基材及び第３の基材よりも柔軟な材料によって構成されており、
前記第１の基材の、前記第２の基材及び第３の基材と対向する面の反対面に、直接又は他の層を介して粘着剤層が設けられている
ことを特徴とする、瞼貼付用テープ。
【請求項２】
前記第２の基材は、前記第１の基材の長手方向中心部よりも一方の端部側となる位置にて、直接又は他の層を介して前記第１の基材上に設けられており、
前記第３の基材は、前記第１の基材の長手方向中心部よりも他方の端部側となる位置にて、直接又は他の層を介して前記第１の基材上に設けられている
ことを特徴とする、請求項１に記載の瞼貼付用テープ。
【請求項３】
前記第２の基材が設けられた領域において、前記第１の基材と前記第２の基材の縁部とが同幅に構成されており、
前記第３の基材が設けられた領域において、前記第１の基材と前記第３の基材の縁部とが同幅に構成されている
ことを特徴とする、請求項１又は２に記載の瞼貼付用テープ。
【請求項４】
前記瞼貼付用テープは、長手方向に湾曲した２本の縁線と、短手方法の２本の縁線とを有し、該長手方向の縁線は外周縁および該外周縁より短い内周縁からなることを特徴とする請求項１〜３のいずれか１項に記載の瞼貼付用テープ。
【請求項５】
前記瞼貼付用テープは、瞼の二重ラインに沿うように前記外周縁の弧が湾曲していることを特徴とする請求項４に記載の瞼貼付用テープ。
【発明の詳細な説明】
【技術分野】
【０００１】
本発明は瞼貼付用テープ、特には二重瞼形成用テープに関する。
【背景技術】
【０００２】
従来から、人工的な二重瞼を形成するために、様々な手法が用いられている。例えば、合成樹脂からなるフィルムの裏面または両面に粘着剤層が設けられた細長い二重瞼形成用テープを、瞼の表面に貼り付けることにより二重瞼を形成する方法が知られている（特許文献１，２，３）。特許文献１では、粘着テープの粘着剤層を覆っている剥離材の外側表面の一部に接着剤層が設けられており、この接着剤層の接着力によって剥離材が台紙側に残ることで粘着テープの粘着剤層が露出し、この露出した部分を瞼の上に軽く押し当てて貼り付けることにより、簡単かつ確実に二重瞼を形成することができる。また、特許文献２および特許文献３では、粘着テープを瞼に貼り付けるために、一旦、粘着テープの粘着性を利用して粘着テープをＶ字形状の貼付用器具に貼り付け、この器具を瞼に押し付けることで粘着テープを精度良く瞼に貼り付けることができる。
【先行技術文献】
【特許文献】
【０００３】
【特許文献１】特許第３０４３１５１号公報
【特許文献２】実用新案登録第３１１９１６２号公報
【特許文献３】実用新案登録第３１５４１３９号公報
【発明の概要】
【発明が解決しようとする課題】
【０００４】
ところで、日本人女性の２５％程度が奥二重であると言われており、二重瞼形成用テープは、奥二重瞼を二重瞼にするために使用されることが多い。奥二重瞼とは、重瞼線（二重線）が存在しない一重瞼と異なり、二重線の幅が狭く、上瞼が覆い被さって重瞼線（二重線）が見えなくなってしまっている状態である。したがって、奥二重をくっきりとした二重瞼にするためには、覆いかぶさる上瞼を下から支えることが必要である。また、腫れぼったい瞼は、瞼に脂肪やむくみがあるので、このような腫れぼったい瞼について二重瞼形成用テープを使用した場合には、二重のラインが出にくいという問題があった。
【０００５】
例えば、図６（ａ）および（ｂ）に示すように、腫れぼったい瞼では、瞼がぷっくりしていたり、眼球が前部に突出しているタイプＩの場合（図６（ａ）の左図参照）は、瞼の脂肪分が少なくスッキリしたタイプＩＩの場合（図６（ａ）の右図参照）と比べて、瞼の曲面の曲がり具合がきつくなる（図６（ａ）、（ｂ）参照）。そのため、特に瞼の曲面の曲がり具合がきつい人（曲率半径（Ｒ）が小さい人）の場合には、従来の二重瞼形成用テープでは適応できなかった。
【０００６】
すなわち、特許文献１，２，３に記載の粘着テープは、合成樹脂からなる基材に粘着剤層が設けられているが、基材が１層である単純な構成なので、長時間貼付していると粘着テープの両端が浮いてきてしまい、チクチクとした違和感を覚えたり、覆いかぶさる瞼を十分に支えることができない、などの問題があった。そこで、本発明は、覆い被さる瞼に対しても適用可能であり、密着性に優れ、装着感が良好で使用中に違和感を覚えることがない瞼貼付用テープ（特には二重瞼形成用テープ）を提供することを目的とする。
【課題を解決するための手段】
【０００７】
本発明者は、鋭意検討の結果、特定の構造を有する瞼貼付用テープを採用することにより、これらの問題を解決することができることを見出し、本発明を完成させるに至った。具体的には、下記発明である。
【０００８】
本発明（１）は、
瞼に貼付して使用する瞼貼付用テープであって、
前記瞼貼付用テープは、
第１の基材（追従層２）と、第２の基材（支持層３ａ）と、第３の基材（支持層３ｂ）と、を少なくとも有し、
前記第１の基材（追従層２）は、細長帯状であり、
前記第２の基材（支持層３ａ）及び前記第３の基材（支持層３ｂ）は、前記第１の基材（追従層２）の長手方向における一方の端部及び他方の端部を除く位置であり、且つ、前記第１の基材（追従層２）の長手方向において前記第２の基材（支持層３ａ）と前記第３の基材（支持層３ｂ）が隔離する位置にて、直接又は他の層を介して前記第１の基材（追従層２）上に設けられており、
前記第１の基材（追従層２）は、前記第２の基材（支持層３ａ）及び第３の基材よりも柔軟な材料によって構成されており、
前記第１の基材（追従層２）の、前記第２の基材（支持層３ａ）及び第３の基材（支持層３ｂ）と対向する面の反対面に、直接又は他の層を介して粘着剤層（粘着剤層４）が設けられている
ことを特徴とする、瞼貼付用テープである。
本発明（２）は、
前記第２の基材（支持層３ａ）は、前記第１の基材（追従層２）の長手方向中心部よりも一方の端部側となる位置にて、直接又は他の層を介して前記第１の基材（追従層２）上に設けられており、
前記第３の基材は、前記第１の基材（追従層２）の長手方向中心部よりも他方の端部側となる位置にて、直接又は他の層を介して前記第１の基材（追従層２）上に設けられている
ことを特徴とする、前記発明（１）に記載の瞼貼付用テープである。
本発明（３）は、
前記第２の基材（支持層３ａ）が設けられた領域において、前記第１の基材（追従層２）と前記第２の基材（支持層３ａ）の縁部とが同幅に構成されており、
前記第３の基材（支持層３ｂ）が設けられた領域において、前記第１の基材（追従層２）と前記第３の基材（支持層３ｂ）の縁部とが同幅に構成されている
ことを特徴とする、前記発明（１）又は（２）の瞼貼付用テープである。
本発明（４）は、
前記瞼貼付用テープは、長手方向に湾曲した２本の縁線（縁線９，１０）と、短手方法の２本の縁線（縁線１１，１２）とを有し、該長手方向の縁線（縁線９，１０）は外周縁（縁線９）および該外周縁より短い内周縁（縁線１０）からなることを特徴とする、前記発明（１）〜（３）のいずれかの瞼貼付用テープである。
本発明（５）は、
前記瞼貼付用テープは、瞼の二重ラインに沿うように前記外周縁（縁線９）の弧が湾曲していることを特徴とする、前記発明（４）の瞼貼付用テープである。
【発明の効果】
【０００９】
本発明によれば、覆い被さる瞼においても下から支えることができ、密着性に優れ、装着感が良好で使用中に違和感を覚えることがない瞼貼付用テープを実現することができた。本発明の瞼貼付用テープならば、脂肪分の多い、曲面の曲がり具合がきつい瞼であってさえも、密着性に優れ、使用中に両端が浮いてきたりせず、違和感を感じさせない。
【図面の簡単な説明】
【００１０】
【図１】本実施形態に係る二重瞼形成用テープの一例を示す概念図であり、（ａ）は概念平面図であり、（ｂ）は概念正面図である。
【図２】本実施形態に係る二重瞼形成用テープの別の態様を示す概念平面図である。
【図３】本実施形態に係る二重瞼形成用テープの別の態様を示す概念平面図である。
【図４】本実施形態に係る二重瞼形成用テープの別の態様を示す概念平面図である。
【図５】本実施形態に係る二重瞼形成用テープの別の態様を示す概念平面図である。
【図６】腫れぼったい瞼（タイプＩ）の曲面の曲がり具合と、薄い瞼の曲面（タイプＩＩ）の曲がり具合とを対比して説明するための概念図であり、（ａ）は顔の瞼部分を模式的に描写した概念図であり、（ｂ）は瞼を顔の上方から見た模式的平面図である。
【図７】本発明の実施例に係る、二重瞼形成用テープの概念図であり、（ａ）は概念平面図であり、（ｂ）は概念正面図である。
【発明を実施するための形態】
【００１１】
以下、各図面に基づき本発明について詳細に説明する。なお、以下においては、本実施形態に係る瞼貼付用テープを二重瞼形成用テープとした場合について説明しているが、本発明のテープは、後述のように、二重瞼形成用のみならず瞼貼付用として広く使用可能であり、例えば、眼瞼下垂防止用としても使用可能である。
【００１２】
以下に、本形態の全体構成を説明し、次いで各構成部の説明等を順に行う。ただし、本発明の技術的範囲は当該形態には限定されない。
【００１３】
ここで、本明細書及び本特許請求の範囲での用語の意義を説明する。「二重瞼形成用」とは、一重瞼を二重瞼とする用途のみならず、奥二重を二重瞼とする用途や、二重瞼を更にはっきりとした二重瞼にする用途を包含する。「分断」とは、繋がっているものを切断することのみならず、接合又は隣接したもの同士を別れ別れに引き離すことも含む。「易分離加工」とは、ある部材に同一の引張力を印加した際に、易分離加工が施されていない場合と比較し、当該ある部材が分離し易い加工である限り特に限定されず、例えば、溝加工、切り込み加工、切り取り線加工、切断加工を挙げることができる。「易分離加工線」とは、易分離加工が施された線を意味する。
【００１４】
<二重瞼形成用テープの全体構成>
はじめに、図１（ａ）及び（ｂ）を参照しながら、本形態に係る二重瞼形成用テープＡの全体構成を説明する。図１（ａ）及び（ｂ）は、本発明において適用可能な二重瞼形成用テープの一形態を示す概念図であり、図１（ａ）はその平面図、（ｂ）はその正面図である。
【００１５】
図１（ａ）及び図１（ｂ）に示されるように、本形態に係る二重瞼形成用テープＡは、全体として細長帯状である粘着テープ本体１と、剥離材１３とを含む。また、粘着テープ本体１は、第１の基材（追従層２）と、第２の基材（支持層３ａ）と、第３の基材（支持層３ｂ）と、を少なくとも有し、各基材が必要に応じて設けられた粘着剤層（粘着剤層６，７ａ，７ｂ，８ａ，８ｂ）を介して接合されている。第２の基材（支持層３ａ）及び第３の基材（支持層３ｂ）は、第１の基材（追従層２）の長手方向における一方の端部及び他方の端部を除く位置であり、且つ、第１の基材（追従層２）の長手方向において前記第２の基材（支持層３ａ）と前記第３の基材（支持層３ｂ）が隔離する位置にて、第１の基材（追従層２）上に設けられている。従って、本形態においては、追従層２の長手方向における一方の端部及び他方の端部においては、追従層２は各支持層（支持層３ａ及び支持層３ｂ）によって覆われておらず、外部に露出するよう構成されている。更に、第１の基材（追従層２）の、第２の基材（支持層３ａ）及び第３の基材（支持層３ｂ）と対向する面の反対面に粘着剤層（粘着剤層５）が設けられている。また、粘着剤層５に当接するように、剥離シート４が設けられている。
【００１６】
以下、本形態に係る二重瞼形成用テープＡ及び粘着テープ本体１について、より詳細に説明する。
【００１７】
図１（ａ）において、粘着テープ本体１は、長手方向に湾曲した弓型を呈しており、湾曲したほぼ平行な２本の縁線（９，１０）と、短手方向の２本の縁線（１１，１２）とで周囲が縁どられている。この対向する縁線９と縁線１０とは、ほぼ同心円上の外周縁と内周縁のように湾曲して弓型を形成しており、縁線１０は縁線９よりも短い。なお、湾曲した弓型は、瞼表面に二重ひだを形成する二重ラインに沿って貼り付けるのに適した湾曲形状であることが好ましく、寸法および形状も適宜決定されることが好ましい。また、右瞼に適した湾曲形状と、左瞼に適した湾曲形状とが異なる場合には、それぞれの湾曲形状に適した粘着テープ本体となるように設計することが好ましい。粘着テープ本体１の全体的な構成としてはこれには限定されず、平面方向において矩形状等のようにその全部が直線状で構成されていてもよいし、その一部又は全部が曲線で構成されていてもよい。
【００１８】
図１（ｂ）において、粘着テープ本体１は、追従層２を備え持つ追従体２０と、支持層３ａを備え持つ支持体３０ａと、支持層３ｂを備え持つ支持体３０ｂと、を有する。追従層２の両面には粘着剤層５，６が設けられていて追従体２０を構成しており、支持層３ａの両面には粘着剤層７ａ，８ａが設けられていて支持体３０ａを構成しており、支持層３ｂの両面には粘着剤層７ｂ，８ｂが設けられていて支持体３０ｂを構成している。
【００１９】
ここで、複数の支持体３０（支持体３０ａ及び支持体３０ｂ）の各々は、同じ積層構造（層の数、各層の材質及び厚み、各層の積層順序等が同じ構造）であることが好適であるが、異なる積層構造であってもよい。本形態においては、支持体３０ａと支持体３０ｂとを同じ積層構造としているため、以下、支持体３０ａ及び支持体３０ｂを合わせて「支持体３０」、支持層３ａ及び支持層３ｂを合わせて「支持層３」、粘着剤層７ａ及び粘着剤層７ｂを合わせて「粘着剤層７」、粘着剤層８ａ及び粘着剤層８ｂをあわせて「粘着剤層８」等と表記する場合がある。
【００２０】
なお、追従体２０及び支持体３０は、各々、更に別の層（粘着剤層や基材）が積層されていてもよい。
【００２１】
ここで、追従体２０の各層（追従層２、粘着剤層５及び粘着剤層６）は、その平面方向の構造（幅及び長さ）が同一となるように構成することが好適であるが、追従体２０の構成はこれには限定されず、これら各層の平面方向における構造を異なるものとしてもよい。例えば、追従層２よりも粘着剤層５及び粘着剤層６の方が幅広であってもよいし、粘着剤層５及び粘着剤層６よりも追従層２の方が幅広であってもよい。同様に、支持体３０の各層（支持層３、粘着剤層７及び粘着剤層８）は、その平面方向の構造（幅及び長さ）が同一となるように構成することが好適であるが、支持体３０の構成はこれには限定されず、これら各層の平面方向における構造を異なるものとしてもよい。なお、追従体２０の平面方向における形状は、基材である追従層２の平面方向における形状によって略確定されるため、平面方向の形状に関する説明においては、追従体２０と追従層２とを読み替える場合がある。同様に、平面方向の形状に関する説明においては、支持体３０（支持体３０ａ、支持体３０ｂ）と基材である支持層３（支持層３ａ、支持層３ｂ）とを読み替える場合がある。
【００２２】
また、粘着剤層５には粘着面を外部の汚れから保護し、粘着力を保持するために剥離シート４が重ねられており、この剥離シート４には、ほぼ中央に易分離加工線１５が形成されている。このように易分離加工が施されていることにより、粘着テープ本体を瞼に適用する際に、剥離シートを容易に分断することができるので、使い勝手が良い。
【００２３】
なお、本形態においては、追従層２、支持層３（支持層３ａ及び支持層３ｂ）は、両面に粘着剤層を有する形態で例示されているが、両面に粘着剤層を有していなくても良い。例えば、粘着剤層６を有する場合には、粘着剤層（粘着剤層７ａ及び粘着剤層７ｂ）は設けずに、粘着剤層６に支持層３（支持層３ａ及び支持層３ｂ）が直接貼着されていても良い。また、例えば、粘着剤層（粘着剤層８ａ及び粘着剤層８ｂ）は設けられていなくても良い。その場合には剥離シート４は必ずしも必要ではない。更には、追従層２と支持層３（支持層３ａ及び支持層３ｂ）とが直接積層されていてもよい。これらの構成は適宜、設計することができる。
【００２４】
支持体３０は支持体３０ａ及び支持体３０ｂとして２個設けられており、追従体２０の長手方向の中央と端との間の位置に、それぞれ１個ずつ設けられて１対をなしている。支持体３０の形状は、図１（ａ）に示すように平面形状が追従体２０の一部分と重なっており、外周縁９および内周縁１０の一部が重なるような形状である。即ち、前述のように、支持層３ａが設けられた領域において、追従層２と支持層３ａとが同幅に構成されており、また、支持層３ｂが設けられた領域において、追従層２と支持層３ｂとが同幅に構成されている。なお、支持体３０の形状はこれには限定されず、例えば図２に示すように、外周縁および内周縁の間に糊代部分１８を設ける等、適宜変更可能である。
【００２５】
また、支持体３０（支持体３０ａ及び支持体３０ｂ）を設ける位置は、追従体２０の長手方向における一方の端部及び他方の端部を除く位置であり、且つ、追従層２の長手方向において支持体３０ａ及び支持体３０ｂが隔離されている位置であれば、上記には限定されない。なお、支持体３０ａ及び支持体３０ｂは、図１に示されるように、支持体３０ａが、追従体２０の長手方向中心部よりも一方の端部側となる位置に、また、支持体３０ｂが、追従体２０の長手方向中心部よりも他方の端部側となる位置に、設けることが好適である。このような構成とすることにより、追従体２０の長手方向中心部付近に、支持体３０を有しない領域を形成することが可能となり、本発明の効果をより高めることが可能となる。なお、追従体２０の長手方向中心部付近に存在するように、支持体３０を設けてもよい。
【００２６】
更に、追従体２０の長手方向における一方の端部及び他方の端部を除く位置に存在する限りにおいて、支持体３０を３つ以上設ける形態としてもよい。例えば、図３に示すように、支持体３０として４つの支持体（支持体３０ａ、支持体３０ｂ、支持体３０ｃ及び支持体３０ｄ）を設けるように構成してもよい。
【００２７】
ここで、図１（ｂ）に示すように、支持体３０（支持体３０ａ及び支持体３０ｂ）は、粘着剤層８（粘着剤層８ａ及び粘着剤層８ｂ）の粘着面を外部の汚れから保護し、粘着力を保持するため、剥離材１３で覆われている。また、剥離材１３には、各々の支持体３０のほぼ中央に位置する箇所に、易分離加工線１６が１か所ずつ形成されている。なお、剥離材１３の易分離加工線は、その使用時において支持体３０の表面に粘着剤層の一部が露出するように設けられているので、支持体３０のほぼ中央という位置に限定されるものではなく、適宜設計することができる。剥離材１３は、粘着テープ本体１の全体を覆う大きさであり、ここでは長方形を呈するが、かかる形に限定されるものではなく、粘着テープ本体１を一回り大きくしたような形状であっても良いし、後述の第二の実施形態で説明するように、粘着テープ本体１を複数個含む大きさであっても良い。このように、剥離材１３には２本の易分離加工線１６が形成されており、使用時まで、すなわち粘着テープ本体１の使用前は、支持体３０の粘着剤層８で仮着されているが、このような易分離加工線を設けずともよい。
【００２８】
次に、図４を参照しながら、本発明の実施形態の別の態様について説明する。ここでは、剥離材１３の上に、複数個の粘着テープ本体１が間隔をあけて略並列するように配置されている。剥離材１３は複数個の粘着テープ本体１が存在できるような大きさ及び形状であれば特に限定されることはないが、ここでは長方形の剥離材を例示する。また、長方形の剥離材１３には、粘着テープ本体１の外周に沿って、易分離加工線１７が形成されていても良く、この場合には、粘着テープ本体１を１個、１個、切り離して、使用に供することもできる。また、剥離材１３には、並列された粘着テープ体１を横切るように、易分離加工線１６が２本、形成されている。ただし、分断される剥離材１３のそれぞれは、支持体３０の粘着剤層８によって、仮貼着されており、粘着テープ本体１が使用されるまで、粘着剤層８の表面を覆って保護している。
【００２９】
なお、本形態に係る二重瞼形成用テープＡの層構成はこれらには限定されず、適宜その他の層を有していてもよい。例えば、図５（ａ）及び図５（ｂ）に示されるように、粘着テープ本体１は、支持体３０（支持体３０ａ及び支持体３０ｂ）を介在するように、第１の追従体２０（追従体２０ａ）と第２の追従体２０（追従体２０ｂ）とが積層されていてもよい。更には、追従体２０の、支持体３０（支持体３０ａ及び支持体３０ｂ）が設けられている面とは反対の面側に、更に別の支持体３０を設けてもよい。
【００３０】
<構成材料>
追従層２は、支持層３（支持層３ａ及び支持層３ｂ）よりも柔軟な材料によって構成されている。即ち、本形態に係る粘着テープ本体１は、粘着テープ本体１の長さ方向において、相対的に柔軟な材料からなる領域と、相対的に硬い材料からなる領域と、が繰り返す構造が得られる。更には、支持層３（支持層３ａ及び支持層３ｂ）は、追従層２の長手方向における一方の端部及び他方の端部を除く位置に設けられているため、追従層２の両端部は、相対的に柔軟な材料からなる領域となる。粘着テープ本体１をこのような構造とすることにより、脂肪が多く瞼がぷっくりしていたり、眼球が前方に突出している瞼でも、すなわち、瞼の曲面の曲がり具合がきつい瞼であっても、瞼への密着度を増すと共に、奥二重などのように上瞼が覆い被さっている瞼であっても、使用中にテープ端部が跳ね上がったりせずに瞼を支えることができるので、チクチクした違和感を感じさせ難くなる。
【００３１】
なお、本発明において、「ある材料が別の材料に対して柔軟である」とは、「ある材料が別の材料に対して弾性率が低い」ことを示す。なお、ここで示す弾性率は、例えば、ＡＳＴＭ  Ｄ６３８に従って測定された引張弾性率である。
【００３２】
なお、上述したように、追従層２の柔軟性と支持層３の柔軟性とが相対的に異なればよいため、追従層２の材料を選択した後に、支持層３の材料を選択する等により、各基材の構成材料は適宜自由に設計可能である。追従層２及び支持層３を構成する材料としては、特に限定されないが、例えば、ポリビニル系樹脂、ポリオレフィン系樹脂、ポリエステル系樹脂、ポリアミド系樹脂、ポリウレタン系樹脂、ポリアクリル酸系樹脂等から適宜選択することが可能である。例えば、追従層２を相対的に弾性率の低いポリウレタンシートとし、支持層３を相対的に弾性率の高いポリウレタンシートとすること等も可能である。なお、追従層２と支持層３との引張弾性率の比（支持層３の引張弾性率／追従層２の引張弾性率）は、特に限定されないが、その下限値が、１．１であることが好適であり、１．５であることがより好適であり、３であることが更に好適であり、５であることが特に好適である。また、当該比の上限値が、１００であることが好適であり、５０であることがより好適であり、２５であることが更に好適あり、１０であることが特に好適である。また、追従層２の引張弾性率としては、特に限定されないが、その上限値が、２０００ＭＰａであることが好適であり、１０００ＭＰａであることがより好適であり、６００ＭＰａであることが更に好適であり、４００ＭＰａであることが特に好適である。また、当該引張弾性率の下限値は、８０ＭＰａであることが好適であり、１００ＭＰａであることがより好適であり、１２０ＭＰａであることが更に好適であり、１５０ＭＰａであることが特に好適である。なお、下限値と上限値とは、適宜自由に組み合わせ可能である。
【００３３】
追従層２は、柔軟性を有する（例えば、上記引張弾性率が低い）合成樹脂を主成分として含有することが好ましい。柔軟性を有する合成樹脂としては、特に限定されないが、ポリオレフィン（例えば、ポリエチレン）等が挙げられる。なお、追従層２は、柔軟性を有する合成樹脂を用いて形成されたものでも良いが、柔軟性を有する合成樹脂からなるフィルムやシートを用いても良い。
【００３４】
ポリエチレンとしては、高密度ポリエチレン（密度範囲：９３０〜９７０ｋｇ／ｍ３程度）、中密度ポリエチレン（密度範囲：９３０〜９７０ｋｇ／ｍ３程度）、
低密度ポリエチレン（密度範囲：９１０〜９３０ｋｇ／ｍ３程度）、のいずれでもよい。これらの内、高密度ポリエチレン及び中密度ポリエチレンを用いた場合には装着感にゴロゴロ感が出てしまうのに対し、低密度ポリエチレンを用いた場合には非常に優れたフィット感が出る。よって、これらのポリエチレンの中では、低密度ポリエチレンが最も好適である。ここで、高密度ポリエチレン、中密度ポリエチレン及び直鎖状（線状）低密度ポリエチレンに関しては、周知手法の通り、例えば、５０〜２５０℃、常圧〜２０ＭＰａで重合させることにより得られる。また、低密度ポリエチレンに関しては、周知手法の通り、例えば、１５０〜３５０℃、１００〜３５０ＭＰａで重合させることにより得られる。
【００３５】
支持層３は、剛性を有する（例えば、上記引張弾性率が高い）合成樹脂を主成分として含有することが好ましい。剛性を有する合成樹脂としては、特に限定されないが、ポリエステル（例えば、ＰＥＴ）などが挙げられる。なお、支持層３は、剛性を有する合成樹脂を用いて形成されたものでも良いが、剛性を有する合成樹脂からなるフィルムやシートを用いても良い。なお、複数の支持層３（支持層３ａ及び支持層３ｂ）は、各々、同一の材料からなるものであっても、異なる材料からなるものであっても良い。
【００３６】
粘着剤層５，６，７，８を構成する粘着剤としては、追従層２および支持層３が引っ張られた際に追従して適度に伸びる粘弾性を有し、適度に高められた粘着性を有し、瞼への付着適合性と、油脂、汗及び涙への耐付着低減性（持続性）を有する粘着剤であることが好ましく、例えば、アクリル系粘着剤などが挙げられる。例えば、追従層２の材料がポリエチレンである場合には、粘着剤層５，６を構成する粘着剤は、アクリル系粘着剤を主成分とし、その他の成分として粘着付与剤を含有してもよい。アクリル系粘着剤の中では、（メタ）アクリル酸イソオクチルや（メタ）アクリル酸を構成モノマーとしたアクリルポリマーであるアクリル系粘着剤が好適である。
【００３７】
粘着剤層５，６，７，８を形成する粘着剤は同一でも異なっていても良い。例えば、粘着剤層５，６，８は、瞼と直接接する面積が大きいので、皮膚に適合した粘着剤であることが好ましい。粘着剤層７は、支持体３０と追従体２０とが離れないように接合している層であるので、高い粘着性を有する粘着剤を用いて形成されることが好ましい。従って、各粘着剤層を構成する粘着剤の種類等は、各粘着剤層に要求される機能等を考慮して、適宜、設計されることが好ましい。
【００３８】
剥離シート４および剥離材１３は、隣接する粘着剤層を使用時まで保護し、使用時には容易に剥離できることが必要である。したがって、剥離シート４および剥離材１３には、それぞれ表面に剥離処理が施されている。剥離シートおよび剥離材を構成する材料としては、紙、プラスチック等を適宜使用することができる。例えば、剥離シート４として剥離紙、剥離材１３として硬めの剥離紙などを使用することができる。
【００３９】
<大きさ、厚さ等>
追従体２０の厚さは、特に限定されないが、追従層２および粘着剤層５，６を合わせて、好適には５０μｍ〜３００μｍであり、より好適には７５μｍ〜２００μｍであり、特に好適には１００μｍ〜１５０μｍである。また、追従層２の厚さは、特に限定されないが、好適には１０μｍ〜１５０μｍであり、より好適には２５μｍ〜１００μｍであり、特に好適には４０μｍ〜７５μｍである。
【００４０】
支持体３０の厚さは、特に限定されないが、支持層３および粘着剤層７，８を合わせて、好適には１５μｍ〜１００μｍであり、より好適には２５μｍ〜８５μｍであり、特に好適には３０μｍ〜６０μｍである。また、支持層３の厚さは、特に限定されないが、好適には２μｍ〜５０μｍであり、より好適には５μｍ〜２５μｍであり、特に好適には６〜２０μｍである。
【００４１】
追従体２の長手方向の長さ（例えば、図１におけるＬ）は、特に限定されないが、好適には１５ｍｍ〜４０ｍｍであり、より好適には２０ｍｍ〜３５ｍｍであり、特に好適には２３ｍｍ〜２７ｍｍである。追従体２の短手方向の長さは、特に限定されないが、好適には１０ｍｍ〜４０ｍｍであり、より好適には１２〜３５ｍｍであり、特に好適には１５〜３０ｍｍである。また、追従体２の中央部分の幅は、特に限定されないが、好適には１０ｍｍ〜３０ｍｍであり、より好適には１２ｍｍ〜２５ｍｍであり、特に好適には１５ｍｍ〜２０ｍｍである。なお、追従層２は、長手方向の長さの方が短手方向の長さよりも長い、細長帯状を成す。
【００４２】
支持体３の長手方向の長さ（例えば、図１におけるＬ２及びＬ４）は、特に限定されないが、好適には１ｍｍ〜１５ｍｍであり、より好適には２ｍｍ〜１０ｍｍであり、特に好適には３ｍｍ〜７ｍｍである。
【００４３】
追従体２の長手方向における各支持体３の離隔距離（例えば、図１におけるＬ３）は、特に限定されないが、好適には０．１ｍｍ〜１５ｍｍであり、より好適には１ｍｍ〜１０ｍｍであり、特に好適には３ｍｍ〜７ｍｍである。
【００４４】
追従体２の長手方向における、支持体３が設けられていない領域の追従体２の端部の長さ（例えば、図１におけるＬ１及びＬ５）は特に限定されないが、、好適には１ｍｍ〜１０ｍｍであり、より好適には２ｍｍ〜８ｍｍであり、特に好適には３ｍｍ〜７ｍｍである。
【００４５】
剥離シート４は、粘着テープ体の粘着剤層を保護すると同時に二重瞼形成用テープの把持箇所として機能するため、外部からの汚れなどを可能な限り防ぎつつも、持ちやすく使いやすい厚さであることが望ましい。そのため、剥離シート４の厚さは、特に限定されないが、好適には０．２ｍｍ〜０．５ｍｍであり、より好適には０．２〜０．４５ｍｍであり、特に好適には０．２ｍｍ〜０．４ｍｍである。また、台紙（剥離紙）１３の厚さは、特に限定されないが、好適には０．２ｍｍ〜１０ｍｍであり、より好適には０．２ｍｍ〜５ｍｍであり、特に好適には０．２ｍｍ〜１ｍｍである。
【００４６】
追従体の形状が、瞼に配するに適した形状を有さない場合には、十分な二重瞼形成能が得られない場合もある。そのため、追従体２の、厚さと幅（短手方向の長さ）の比としては、好適には１：８〜１：１２であり、より好適には１：８〜１：１１．５であり、特に好適には１：８〜１：１１である。追従体２の、幅と長手方向の長さの比としては、好適には１：２０〜１：３０であり、より好適には１：２０〜１：２７であり、特に好適には１：２０〜１：２５である。
【００４７】
<使用方法>
以下に二重瞼形成用テープＡの瞼への使用方法（貼付方法）を詳述する。まず、易切断処理が２箇所施されている剥離材１３は３分割できるようになっているので、３分割された剥離材の中央部分を剥離して、粘着剤層８の一部を露出させる。その露出させた粘着剤層面を、瞼に軽く乗せ、二重瞼を形成すべき箇所に位置決めする。次いで、残りの台紙（３分割のうち、左右に残留している台紙）を除去して二重瞼形成線の上に粘着剤層８の全面を接触させ、支持体３０を配置する。その後、剥離シート４の両端を摘まみ、追従体２０の全体を左右に延伸させる。この際、剥離シート４はその中央に施されている易分離加工線１５で分断され、剥離シート４の左右端部を把持して粘着テープ本体が二重瞼形成箇所に配され、固定される。このように固定された二重瞼形成用テープは、瞼の上に支持体３が存在し、その上に追従体２０が覆いかぶさった構成である。また、左右１対の支持体で支えられている追従体は中央部分が下方に撓んで瞼表面に密着し、かつ、追従体の両端部分も垂れ下がって瞼表面と密着し、粘着テープ本体全体が密着した状態になる。なお、粘着テープ本体の長さは、長すぎた場合には、二重瞼形成用テープを形成箇所に配し固定した後、切除しても良いし、あるいは、使用前に、予め適当な大きさに切断しておいても良い。
【００４８】
本発明の二重瞼形成用テープは、追従体と支持体とを有する特別な構造であるので、密着性に優れ、両端が浮いて来ることがなく、しかも、脂肪分の多い腫れぼったい瞼に適用したとしても、両端が浮いてくることもない。また、２箇所の支持体で追従体を保持しているので、覆い被さる瞼を下から支えることができ、しかも、脂肪分の多い腫れぼったい瞼であっても、その支持性は十分能力を発揮することができる。
【００４９】
なお、本発明に係る二重瞼形成用テープは、瞼貼付用テープ、即ち、瞼に貼付するためのテープとして一般的に使用可能であり、例えば、眼瞼下垂防止用テープとしても使用可能である。
【００５０】
二重瞼形成用テープを眼瞼下垂防止用テープとする場合、その適用箇所としては、重瞼よりも高い位置（通常、眼縁から７ｍｍ以上の箇所）となることが好ましい。このように、眼瞼下垂防止用テープにおいては、その貼付箇所が二重瞼形成用テープと大きく相違する場合がある（二重瞼形成用テープの適用箇所は重瞼の位置）。即ち、眼瞼下垂防止用テープは、その適用対象者の上眼瞼が下垂し、上眼瞼挙筋が筋力低下しているため、二重用の折り目を作る場合等と比較し、瞼を上に引き上げる力がより必要となることから、眼縁からある程度高い位置（重瞼よりも高い位置）に貼付する必要がある。
【００５１】
以下、眼瞼下垂防止用テープの適用対象に関して詳述する。当該眼瞼下垂防止用テープの適用対象としては、先天性眼瞼下垂症及び後天性眼瞼下垂症のいずれに対しても適用可能である。
【００５２】
（上眼瞼下垂初期〜中期段階）
上眼瞼下垂初期〜中期段階は、脂肪が多く、上眼瞼が眼窩縁より前方にせり出しているが、眼瞼下垂防止用テープを上記の通り適用することにより、瞼に食い込みが生じ、眼を開けた際の瞼の引き込みにより、上眼瞼が引き上げられ、眼瞼下垂が防止されることとなる。
【００５３】
（上眼瞼下垂中期〜後期段階）
上眼瞼下垂中期〜後期段階は、上眼瞼が眼窩縁より前方にあり、目の外側が下垂している。この場合、眼瞼下垂防止用テープとしては、先述のように、基材の厚さを増やす等により、眼瞼下垂防止用テープの眼瞼下垂防止能を増やしたものとすることが好適である。また、このような後期段階においては、眼瞼下垂防止用テープを２箇所以上適用することが好適となる。
【００５４】
（加齢に伴う眼瞼下垂）
特に、加齢に伴う眼瞼下垂の症状は目の外側より起こる。この場合、図２１にも示されているように、眼瞼の下垂状態に沿って、眼の内側から外側に向かって（目頭方向から目尻方向に向かって）、傾斜するように貼付することが好適である。
【実施例】
【００５５】
<実施条件>
本実施例における基本的な構成は図７（ａ）および（ｂ）に示す通りである。
まず、追従層２としては、低密度ポリエチレン（引張弾性率：２００ＭＰａ）を使用して厚さ４５μｍのフィルムを形成し、図７（ａ）に示す大きさ、形状の追従層を形成した。粘着剤層５，６を構成する粘着剤としてはアクリル系粘着剤を使用し、追従層２の両面に、それぞれ厚さ３０μｍの粘着剤層５と粘着剤層６を形成した。
支持体３０を構成する支持層３として、厚さ１５μｍのポリエステルフィルム（引張弾性率：３０００ＭＰａ）を使用し、図７（ａ）および（ｂ）に示す大きさ、形状の支持層を形成した。粘着剤層７，８を構成する粘着剤としてはアクリル系粘着剤を使用し、支持層３の両面に、厚さ１５μｍの粘着剤層７と粘着剤層８を形成し、支持体３０を得た。得られた支持体を図７（ａ）および（ｂ）に示すように追従層に配し、粘着剤層８の粘着面を保護するように剥離材１３をのせて二重瞼形成用テープを得た。得られた二重瞼形成用テープを瞼に適用したところ、覆い被さる瞼を下から支えることができ、密着性に優れ、装着感が良好で使用中に違和感を覚えることがなかった。
【符号の説明】
【００５６】
Ａ  二重瞼形成用粘着テープ
１  粘着テープ本体
２  追従層
３ａ，３ｂ  支持層
４  剥離シート
５，６，７ａ，７ｂ，８ａ，８ｂ  粘着剤層
９，１０，１１，１２  縁線
１３  剥離材
１５，１６，１７  易分離加工線
１８  糊代部分
２０  追従体
３０，３０ａ，３０ｂ  支持体
【図１】
2019103665.tif 000003
【図２】
2019103665.tif 000004
【図３】
2019103665.tif 000005
【図４】
2019103665.tif 000006
【図５】
2019103665.tif 000007
【図６】
2019103665.tif 000008
【図７】
2019103665.tif 000009